(57)【要約】【課題】  柱材に取り付けて引き戸走行側から簡単な操作で引き戸との隙間を調整することのできる隙間調整具を低コストで提供する。【解決手段】  柱材５の引き戸走行側に面する側面５ａに上下略全長にわたって長さ方向に沿った溝７を設けてこの溝７に開口部８ａを外方に向けた長尺のチャンネル材８を嵌め込み固定し、このチャンネル材８の開口部８ａに柔軟な材料で形成された長尺の間隙子９を上下略全長にわたって装着して開口部前方から操作可能な調整ネジ１０により開口部８ａからの突出量を調整できるようにチャンネル材８に取付た構造とした。これにより引き戸走行側から調整ネジ１０をドライバー等で回動させることにより簡単に間隙子９の突出量を隙間の間隔に合わせて調整することができ、引き戸の遮蔽効果を最良の状態に保持することができる。【選択図】        図３
2005232882.tif 000002
【特許請求の範囲】
【請求項１】
柱材５の引き戸走行側に面する側面５ａに上下略全長にわたって長さ方向に沿った溝７を設けてこの溝７に開口部８ａを外方に向けた長尺のチャンネル材８を嵌め込み固定し、このチャンネル材８の開口部８ａに柔軟な材料で形成された長尺の間隙子９を上下略全長にわたって装着して開口部前方から操作可能な調整ネジ１０により開口部８ａからの突出量を調整できるようにチャンネル材８に取付てなる隙間調整具。
【請求項２】
前記チャンネル材８が柱材５を補強するに足る強度を備えた金属材で形成されている請求項１に記載の隙間調整具。
【発明の詳細な説明】
【技術分野】
【０００１】
本発明は、建具における柱材と引き戸との隙間調整具に関する。
【背景技術】
【０００２】
一般に、家屋の部屋を区切る隔壁に引き戸を設ける場合、隔壁に開けた開口部に引き違いの引き戸を設けるか、或いは特許文献１に示すように、左右の隔壁(1)、(1)の間に形成された開口部(2)に引き戸一枚分の中間固定壁(4)を設けてこの中間固定壁(4)にそって一枚の引き戸(3)を開閉させる方式がある。通常業界では中間固定壁(4)の先端に設けられた柱材(5)を中方立又は半方立と呼び、左右隔壁(1)、(1)の先端に取り付けられた柱材(6)、(6)を方立と呼んでいる。
【０００３】
而して上記した一枚の引き戸(3)を中間固定壁(4)に沿って開閉させる場合、中方立即ち柱材(5)の引き戸走行側に面する側面と引き戸(3)との間に隙間があると遮蔽効果が劣化するので、できるだけこの隙間を小さく設定することが要求される。従来ではこの隙間を埋める柔軟な長尺のシール材を柱材(5)に取り付けるなどして隙間を埋めている。
【特許文献１】特開２００１−７３６４２号公報
【発明の開示】
【発明が解決しようとする課題】
【０００４】
しかし、柱材や引き戸を走行させる敷居材を組み付ける際に工作上の誤差や素材の反り、歪み等によって柱材と引き戸の間の隙間は現場によって差異があり、一定サイズのシール材ではこれに対応することができなかった。
【０００５】
また柱材、即ち中方立は木材で作られているため長期使用中に小さな反りや曲げが生じることがあり、この反りが引き戸側にあらわれると引き戸に当たって開閉に支障が来す等の問題点もあった。
【０００６】
そこで本発明は、柱材に取り付けて引き戸走行側から簡単な操作で引き戸との隙間を調整することのできる隙間調整具を低コストで提供することを第一の目的とする。
【０００７】
更に本発明の目的は、隙間調整具としての機能に加え、柱材の反りや曲げの発生を阻止した隙間調整具を提供することにある。
【課題を解決するための手段】
【０００８】
上記目的を達成する為に本発明では次のような技術的手段を講じた。
【０００９】
即ち、本発明にかかる隙間調整具にあっては、柱材５の引き戸走行側に面する側面５ａに上下略全長にわたって長さ方向に沿った溝７を設けてこの溝７に開口部８ａを外方に向けた長尺のチャンネル材８を嵌め込み固定し、このチャンネル材８の開口部８ａに柔軟な材料で形成された長尺の間隙子９を上下略全長にわたって装着して開口部前方から操作可能な調整ネジ１０により開口部８ａからの突出量を調整できるようにチャンネル材８に取付た構造とした。これにより引き戸走行側から調整ネジ１０をドライバー等で回動させることにより簡単に間隙子９の突出量を隙間の間隔に合わせて調整することができ、引き戸の遮蔽効果を最良の状態に保持することができる。
【００１０】
前記チャンネル材８が硬質の合成樹脂成形品でもよいが、このましくば強度のあるステンレススチール等の金属引抜き材で形成するのがよい。これにより柱材の補強材としての効果も発揮して経年使用中の柱材の反りや曲げの発生を未然に防止することができる。
【発明の効果】
【００１１】
本発明では、調整ネジをドライバー等で回動させることにより簡単に間隙子のチャンネル材からの突出量を引き戸との隙間の間隔に合わせて自在に調整することができ、引き戸の遮蔽効果を常に最良の状態に保持することができるとともに、調整ネジの回動操作が引き戸走行側からできるので容易に作業することができるといった効果がある。また請求項２の構成によれば、隙間調整具としての機能に加えて補強材としての機能も発揮して柱材の反りや曲げの発生を阻止することができるといった効果がある。
【発明を実施するための最良の形態】
【００１２】
以下本発明の実施例を図１〜図４に基づき説明する。
【００１３】
図において符号１は家屋における隔壁であって、この隔壁の中間部は切開されて開口部２が形成されている。この開口部２に、引き戸一枚分の中間固定壁４が設けられ、この中間固定壁４にそって一枚の引き戸３が上框１１と下敷居１２との間でスライドして開口部２を開閉できるように取り付けられている。前記中間固定壁４の先端には中方立即ち柱材５が固定されている。また切開された隔壁１、１の端部には方立と呼ばれる柱６、６が設けられている。
【００１４】
前記柱材５の引き戸走行側に面する側面５ａに上下略全長にわたって長さ方向に沿った溝７が設けられ、この溝７に開口部８ａを外方に向けた断面略コの字形の長尺チャンネル材８が嵌め込れて固定されている。本実施例にあっては、該チャンネル材８は柱材５を補強するに充分な強度を備えたステンレススチール等の金属引抜き材で形成されている。
【００１５】
更に、チャンネル材８の開口部８ａにゴム等の柔軟な材料で形成された長尺の間隙子９が上下略全長にわたって装着されており、調整ネジ１０により開口部８ａからの突出量を調整できるようにチャンネル材８に取付けられている。調整ネジ１０は上下の数カ所においてチャンネル材８の底板８ａにフリーに回動できるように取り付けられている。そして調整ネジのネジ軸１０ａが間隙子９のネジ孔９ａを螺合貫通して引き戸走行側に表出されていて、その先端にドライバー等の回動工具が係合する回動操作部１０ｂが形成されている。従ってこの調整ネジ１０をドライバー等で回動することにより間隙子９のチャンネル材開口部８ａからの突出量を加減することができる。尚、間隙子９の引き戸走行側に面した先端面には凹溝９ｂが設けられ、調整ネジ１０の先端、即ち回動操作部１０ｂが常時間隙子９凹溝９ｂ内に位置するように設定されており、これにより調整ネジ１０が直接引き戸３に触れることを阻止している。またこの凹溝９ｂを形成することによって、間隙子９の先端部分の柔軟性が助長され、引き戸と接触した際の異音や擦り傷の発生を緩和する。  
【００１６】
上記実施例では前記チャンネル材８を金属材で形成したが、合成樹脂による成形品であってもよい。
【００１７】
以上本発明の一実施例について説明したが、本発明は必ずしもこれらの実施例構造のみに限定されるものではなく、上記した本発明の構成要件を備え、かつ本発明の目的を達成し、本発明の効果を奏する範囲内において適宜改変して実施することができる。
【図面の簡単な説明】
【００１８】
【図１】本発明に係る隙間調整具の一実施例を示す斜視図。
【図２】上記隙間調整具の一部の正面図。
【図３】図２におけるＡ−Ａ線に沿った拡大断面図。
【図４】図２におけるＢ−Ｂ線に沿った拡大断面図。
【符号の説明】
【００１９】
５  柱材（中方立）
５ａ  側面
７  溝
８  チャンネル材
８ａ  開口部
９  間隙子
１０  調整ネジ
【図１】
2005232882.tif 000003
【図２】
2005232882.tif 000004
【図３】
2005232882.tif 000005
【図４】
2005232882.tif 000006